(57)【要約】【課題】  符号量を大幅に増加することなく、良好な再生画像を得る。【解決手段】  記録装置は、入力した動画像信号を符号化する符号化手段と、前記入力動画像信号の状態が所定の条件に合致したことを検出する検出手段と、前記検出手段の出力に基づいて、前記入力動画像信号と前記符号化された動画像信号を復号した動画像信号との誤差信号を生成する誤差信号生成手段と、前記符号化された動画像信号と前記誤差信号とを記録媒体に記録する記録手段とを備える。【選択図】  図２
2005101835.tif 000002
【特許請求の範囲】
【請求項１】
入力した動画像信号を符号化する符号化手段と、
前記入力動画像信号の状態が所定の条件に合致したことを検出する検出手段と、
前記検出手段の出力に基づいて、前記入力動画像信号と前記符号化された動画像信号を復号した動画像信号との誤差信号を生成する誤差信号生成手段と、
前記符号化された動画像信号と前記誤差信号とを記録媒体に記録する記録手段とを備える記録装置。
【請求項２】
前記誤差信号検出手段は、前記入力動画像信号と前記符号化された動画像信号を復号した動画像信号における同一のフレームの誤差信号を生成することを特徴とする請求項１記載の記録装置。
【請求項３】
前記記録手段は前記符号化された動画像信号と前記誤差信号とを同一の記録媒体に記録することを特徴とする請求項１記載の記録装置。
【請求項４】
前記記録手段は前記符号化された動画像信号と前記誤差信号とを互いに異なる記録媒体に記録することを特徴とする請求項１記載の記録装置。
【請求項５】
入力した動画像信号を符号化する符号化手段と、
前記入力動画像信号の状態が所定の条件に合致したことを検出する検出手段と、
前記検出手段の出力に基づいて、前記符号化された動画像信号を復号した際の画質を向上させるための付加情報を生成する付加情報生成手段と、
前記符号化された動画像信号と前記付加情報とを記録媒体に記録する記録手段とを備える記録装置。
【請求項６】
前記符号化手段はフレーム内符号化とフレーム間符号化とを用いて前記動画像信号を符号化することを特徴とする請求項１または５記載の記録装置。
【請求項７】
前記入力動画像信号と前記符号化された動画像信号を復号した動画像信号との差分の値が所定の閾値を超えていることを前記所定の条件とすることを特徴とする請求項１または５記載の記録装置。
【請求項８】
前記入力動画像信号と前記符号化された動画像信号を復号した動画像信号との差分を１フレーム分合計した値が所定の閾値を超えていることを前記所定の条件とすることを特徴とする請求項１または５記載の記録装置。
【請求項９】
１フレーム内の所定の領域における前記入力動画像信号と前記符号化された動画像信号を復号した動画像信号との差分の値が所定の閾値を超えていることを前記所定の条件とすることを特徴とする請求項１または５記載の記録装置。
【請求項１０】
前記入力動画像信号と前記符号化された動画像信号を復号した動画像信号との差分の値が所定期間連続して所定の閾値を超えていることを前記所定の条件とすることを特徴とする請求項１または５記載の記録装置。
【請求項１１】
前記入力動画像信号と前記符号化された動画像信号を復号した動画像信号との差分を１フレーム分合計した値が所定期間連続して所定の閾値を超えていることを前記所定の条件とすることを特徴とする請求項１または５記載の記録装置。
【請求項１２】
入力した動画像信号を符号化して記録する装置であって、
前記装置の状態が所定の条件に合致したことを検出する検出手段と、
前記検出手段の出力に基づいて、前記入力動画像信号と前記符号化された動画像信号を復号した動画像信号との誤差信号を生成する誤差信号生成手段と、
前記符号化された動画像信号と前記誤差信号とを記録媒体に記録する記録手段とを備える記録装置。
【請求項１３】
入力した動画像信号を符号化して記録する装置であって、
前記装置の状態が所定の条件に合致したことを検出する検出手段と、
前記検出手段の出力に基づいて、前記符号化された動画像信号を復号した際の画質を向上させるための付加情報を生成する付加情報生成手段と、
前記符号化された動画像信号と前記付加情報とを記録媒体に記録する記録手段とを備える記録装置。
【請求項１４】
前記動画像信号を発生する撮像手段を備え、前記撮像手段のオートフォーカス動作を実行していることを前記所定の条件とすることを特徴とする請求項１２または１３記載の記録装置。
【請求項１５】
前記動画像信号を発生する撮像手段を備え、前記撮像手段がズーム中であること、または、前記撮像手段のズーム速度が所定速度異常であることを前記所定の条件とすることを特徴とする請求項１２または１３記載の記録装置。
【請求項１６】
請求項１または１２の装置により、前記符号化された動画像信号と前記誤差信号とが記録された記録媒体より前記符号化された動画像信号と誤差信号とを再生する再生手段と、
前記再生された動画像信号を復号する復号手段と、
前記復号された動画像信号と前記誤差信号とを加算する加算手段とを備える再生装置。
【発明の詳細な説明】
【技術分野】
【０００１】
本発明は記録装置に関し、特には、画像信号を符号化して記録する装置に関する。
【背景技術】
【０００２】
従来、画像信号をＭＰＥＧ（Ｍｏｔｉｏｎ  Ｐｉｃｔｕｒｅ  ｃｏｄｉｎｇ  Ｅｘｐｅｒｔｓ  Ｇｒｏｕｐ）方式で符号化して、ＤＶＤなどの光ディスク記録媒体に記録する装置が知られている。ＭＰＥＧ方式を用いる理由としては、フレーム間の動き補償予測符号化を用い、高い圧縮率の符号化を実現できるので、動画像の大きな情報量を効率よく圧縮して限られた記録容量の記録媒体に保存することが可能だからである。
【０００３】
このようなＭＰＥＧ符号化において、動き補償の精度を高め、画質改善をする提案が特許文献１でなされている。
【０００４】
一方、近年では、記録媒体の容量増加がめざましく、光ディスクにおいては、青色レーザーを使用することにより５インチの媒体で数十ギガビットの容量を確保されつつある。また、カード型の記録媒体の容量増加も著しく、動画像の記録媒体として、光ディスクのかわりに、カード型の記録媒体も採用される製品も実現できる可能性が出てきている。
【特許文献１】特開平８−１０２９６５号公報
【発明の開示】
【発明が解決しようとする課題】
【０００５】
しかしながら、一定のレートでＭＰＥＧ符号化を行う、あるいは、限られた範囲内で可変長レートのＭＰＥＧ符号化を行う場合には、フレーム前後の相関が少ない状態、特に、シーンチェンジなどで、フレーム間の相関が極めて低くなると、その部分では画質が劣化してしまうことになる。
【０００６】
一方、ビデオカメラなどの省電力、小型の組み込み機器では、大規模な予測符号化、複数パスの符号量制御を行うことが、電力、大きさのなどの問題で事実上困難である。
【０００７】
本発明はこのような問題を解決し、必要なときに高画質な画像信号を得ることができるようにすることを目的とする。
【課題を解決するための手段】
【０００８】
前記目的を達成するため、本発明においては、入力した動画像信号を符号化する符号化手段と、前記入力動画像信号の状態が所定の条件に合致したことを検出する検出手段と、前記検出手段の出力に基づいて、前記入力動画像信号と前記符号化された動画像信号を復号した動画像信号との誤差信号を生成する誤差信号生成手段と、前記符号化された動画像信号と前記誤差信号とを記録媒体に記録する記録手段とを備える構成とした。
【発明の効果】
【０００９】
本発明によれば、符号量を大幅に増加することなく、良好な再生画像を得ることが可能となる。
【発明を実施するための最良の形態】
【００１０】
図１は、本発明を適用した記録再生装置の構成を示すブロック図である。
【００１１】
図１において、１０１は撮像部であり、レンズ、固体センサ、Ａ／Ｄコンバータ、アイリスなどを有する。１０２はマイク、マイクアンプ、Ａ／Ｄコンバータなどを有する音声入力部、２０３はＣＰＵ、１０３ａは符号化ブロック、１０３ｂは記録再生制御ブロックである。符号化ブロック１０３ａ、記録再生制御ブロック１０３ｂは、ＣＰＵ１０３のファームウエア、あるいは、ＣＰＵ１０３内のハードウエアのどちらでも、あるいは、双方で構成することが可能である。
【００１２】
１０４は前記ＣＰＵ１０３及び、装置各部を制御するために用いるメモリ、１０５は外部装置との間で各種の情報を入出力する入出力端子、１０６は装置１００を操作する操作キー、１０７は映像を表示する表示部、１０８は音声を出力するスピーカ、１０９は各種のセンサ、Ｍ１、Ｍ２はそれぞれ記憶媒体である。
【００１３】
まず、図１における記録動作を説明する。
【００１４】
撮像部１０１により得られたデジタル画像信号はＣＰＵ１０３に入力される。また、音声入力部１０２により得られたデジタル音声信号はＣＰＵ１０３に入力される。デジタル映像信号はＣＰＵ１０３において色分離、白バランス、ガンマ補正、アパーチャ補正などの基本処理と、操作キー１０６で設定された画像サイズ、画質調整、位置調整などの付加処理を行う。処理された画像信号は、設定された圧縮方法と圧縮パラメータなどによって、後述の様にＣＰＵ１０３内の符号化ブロック１０３ａで圧縮符号化される。符号化されたデータは、記録再生制御ブロック１０３ｂに送られる。
【００１５】
音声データに関しては、操作キー１０６で設定された音質調整などの付加処理を行い、設定された圧縮方法と圧縮パラメータによって符号化する。
【００１６】
符号化ブロック１０３ａは、符号化された動画像データと音声データに対して制御データを多重してストリームデータを形成し、記録再生制御ブロック１０３ｂに出力する。
【００１７】
なお、制御データとは、ストリームの形成のためのヘッダー、管理データ、また、装置自体の情報、画像、音声などの記録設定情報、撮影履歴や撮影環境情報などの撮影付加情報、使用記録媒体などの媒体情報、記録時間、符号時間、再生復号時間、再生表示時間等の時間情報を意味する。
【００１８】
記録再生制御ブロック１０３ｂは、出力されたストリームをＵＤＦ、ＦＡＴ、ＥＸＴ２等のファイルシステム管理のもとに、ファイルとして記録媒体Ｍ１、Ｍ２に対して書き込む。
【００１９】
ファイルシステムとは、ファイルの管理を行うための管理情報とファイルデータからなる構造体系を意味する。このファイルシステムを共通化することによって、異なった記憶媒体あるいは記録再生機器でもデータの認識、記録再生ができるわけである。
【００２０】
また、符号化されたデータは必要に応じて外部入出力端子１０５に送られる。さらに、撮像部１０１により得られた動画像信号が確認用として表示器１０７に表示される。
【００２１】
また、記録媒体Ｍ１、Ｍ２として、ＭＭＣ、ＳＳＦＤＣ、コンパクトフラッシュ（Ｒ）、ＳＤ、ＰＣカードなどのメモリカード、あるいはハードディスクを使用する。あるいは、ＣＤ−ＲＷ、ＦＤ、ＭＤ、ＤＶＤ−ＲＡＭなどの磁気（あるいは光磁気）記録メディアなどを使用する。これらの記録媒体は、不図示の装着、排出機構により容易に脱着が可能となっている。
【００２２】
次に、符号化ブロック１０３ａの詳細な処理について説明する。
【００２３】
図２は符号化ブロック１０３ａの構成を示すブロック図である。
【００２４】
撮像部１０１から出力された画像信号はフレーム単位で入力され、メモリ２０１に保存される。保存された画像信号は、ブロック分離部２０２により８ピクセルｘ８ピクセル単位のマクロブロック毎に読み出され、各マクロブロックのデータは順次、減算器２０３に送られる。減算器２０３は、マクロブロック毎のフレーム間予測データとの差分を算出するもので、算出されたデータをマクロブロック毎のフレーム間予測符号データとしてスイッチ２０４のｂ端子に出力する。また、スイッチ２０４のａ端子には、ブロック分離器２０２からのマクロブロック毎のデータが入力される。スイッチ２０４はＩピクチャの符号化時にはａ端子に接続し、ＰあるいはＢピクチャの符号化時にはｂ端子に接続する。
【００２５】
スイッチ２０４からの出力データは、離散コサイン変換（ＤＣＴ）部２０６でＤＣＴ処理され、量子化部２０６で所定の量子化ステップで量子化される。量子化されたデータはジグザグ変換の並べ替え処理をして、可変長符号化（ＶＬＣ）部２０７に入力される。ＶＬＣ部２０７で符号化されたデータは、出力バッファ２０８に蓄えられ、所定のビットレートで加算器２０９に出力される。また、量子化部２０６からの出力信号は逆量子化部２１５により逆量子化され、逆離散コサイン変換（ＩＤＣＴ）部２１４で、逆ＤＣＴ処理される。
【００２６】
ＩＤＣＴ部２１４の出力信号は加算器２１３に送られる。加算器２１３の別入力にはＰピクチャあるいはＢピクチャの符号化時に結合されるスイッチ２１２を介したて入力した動き補償部２１０のフレーム間予測画像データが供給される。加算器２１３で加算されたデータはメモリ２１１に蓄積される。動き補償部２１０は、メモリ２１１に蓄積された参照フレームの画像データのうち、ブロック分離部２０２からのマクロブロックとの差分がもっとも少なくなるブロックの動きベクトルを検出し、その動きベクトルに従ったブロックの画像データをメモリ２１１から読み出して減算器２０３及びスイッチ２１２に出力する。
【００２７】
簡易的なフレーム間予測では、入力信号と参照画像の予測信号の差分を得る場合、画像内の同一部分の差分を算出するが、画像内の同一部分だけの比較だけでなく、水平及び垂直方向に＋１５から−１５画素など、所定の範囲内でずらし、もっとも差分が小さくなる位置を、動きベクトルとして算出し、そのときの差分を求めるものが動き補償フレーム間予測である。
【００２８】
加算器２０９は、出力バッファ２０８からの圧縮符号化データと、後述する判定データとを多重して出力する。
【００２９】
一方、メモリ２０１から出力された画像データと、メモリ２１１からの参照フレームの画像データが判定回路２１６に入力される。判定回路２１６の詳細な処理は後述するが、判定回路２１６から出力された判定データは符号化部２１７により符号化されてスイッチ２１８に送られる。スイッチ２１８がｃ端に接続された場合、符号化された判定データが出力バッファ２０８からの符号データと多重され、記録再生制御ブロック１０３ｂに送られる。記録制御ブロック１０３ｂでは、後述する符号管理データを付加し記録媒体Ｍ１に記録する。符号管理データの追加に関しては、一つの符号ストリームに、符号管理データをプライベートストリームとして重畳する方式と、符号管理データを独立のファイルとして作成する方式が考えられる。
【００３０】
また、スイッチ２１８がｄ端に接続された場合には、符号化された判定データがそのまま記録再生制御ブロック１０３ｂに送られる。記録制御ブロック１０３ｂでは、後述する符号管理データを付加して記録媒体Ｍ２に記録する。
【００３１】
スイッチ２１８は、ユーザによる指示、あるいは、記録媒体Ｍ２の有無、状態で判定する。例えば、記録媒体Ｍ２が装着されていない、あるいは認識できない、または残量が少ない場合などの場合、ｃ端に接続する。
【００３２】
ここで、判定回路２１６の動作について説明する。
【００３３】
判定回路には、メモリ２０１、２１１からの画像データ及び、本体装置の操作スイッチで設定される設定値、あるいは、本体で検出される検出信号、または、検出値、そして、判定回路２１６を制御する制御信号などの信号２１６ａが入力される。
【００３４】
設定値は、操作スイッチ１０６、または、本体に接続された外部機器との通信で得られる情報で設定される閾値設定値、領域設定値などである。検出信号、検出値は、例えば、フォーカス動作により検出されるフォーカス動作信号、フォーカス検出値、防振動作により検出される防振動作信号、防振検出値、ズーム動作により検出されるズーム動作信号、ズーム検出値、装置のモード動作信号などの本体検出情報と検出値である。
【００３５】
そして、メモリ２０１からの画像データとこの画像データに対応したフレームのメモリ２１１からの画像データを信号２１６ａ従って決定される所定の条件で比較し、条件が一致した場合、メモリ２０１からの画像データとメモリ２１１からの画像データの間の差分データを含む判定データを出力する。
【００３６】
所定条件として、例えば以下のものが挙げられる。 
条件１：各画素の差分データが、所定値を超えた場合。 
条件２：フレーム内の各画素の差分データの累計が、所定値を超えた場合。 
条件３：フレーム内の各画素の差分データの累計が所定値以上、かつ、所定期間連続して超えた場合。 
条件４：条件３で、所定値、あるいは所定期間についてヒステリシスをもって条件が整合した場合。 
条件５：所定の領域内における差分データが、所定値を超えた場合。 
条件６：センサ１０９の検出信号、または、検出値が入力される所定の条件が整合した場合。 
条件１から条件５の各条件は、複合の条件でも判定することは可能である。
【００３７】
更に、所定条件の判別についての詳細を説明する。
【００３８】
図３は、前述の条件１、２、３、４について説明した図である。
【００３９】
同図において、横軸は時間（フレーム）、縦軸はメモリ２０１からの画像データとこのフレームに対応したメモリ２１１からの画像データにおいて、それぞれ同一位置の画素データ差分値の累計である。図３は、信号２１６ａからの制御信号と設定値によって、判定回路２１６が判定時間Ｔ１、閾値レベルＤ１、Ｄ２のヒステリシスで設定された場合を説明している。ｔ１時間に閾値上限Ｄ２を超え、判定期間Ｔ１まで閾値下限を下回らない場合、判定回路は判定条件を満たしたと判断し、閾値下限のＤ１に達するまでのＴ２期間、判定データを出力する。
【００４０】
また、図４は条件５について説明した図である。
【００４１】
図５のＰは画像入力全領域（例えば７２０ｘ４８０ピクセル）であり、Ｑは判定領域（左上の座標（ｘ１、ｙ１）、右下の座標（ｘ２、ｙ２））を設定していることを示している。座標の設定方法をしては、操作者が操作キーから所望の領域を入力し、その領域データが判定回路に設定される。デフォルトでは、画面の中央部を設定範囲として、その領域内を判定することとする。このような場合、画面中心部（注視点部）の画質向上を図ることができる。また、設定した領域の内外の判定についても設定することが可能である。また、設定領域を複数持つことや、矩形のみならず円、多角形などを設定することも考えられる。
【００４２】
次に、条件６についての詳細説明をする。
【００４３】
フォーカス動作に関しては、フォース動作が動作中の場合、判定ＯＮあるいはＯＦＦ、フォーカス検出値（焦点精度）が所定の閾値以上の場合、判定ＯＮあるいはＯＦＦ、防振動作に関しては防振動作中の場合、判定ＯＮあるいはＯＦＦ。防振検出値（防振制御）が所定の閾値以上の場合、判定ＯＮあるいはＯＦＦ、ＺＯＯＭ動作に関しては、ＺＯＯＭ動作が動作中の場合、判定ＯＮあるいはＯＦＦ、ＺＯＯＭ検出値（速度）が所定の閾値以上の場合、判定ＯＮあるいはＯＦＦ、本体装置のモード動作信号、例えば、記録モードなどの設定値、記録開始時などの動作モードなどの条件により、判定ＯＮあるいはＯＦＦの動作を行う。
【００４４】
なお、判定ＯＮあるいはＯＦＦとは、前記それぞれの条件で、画質改善効果を期待する場合、判定をＯＮにし、画質改善効果より符号量削減を期待する場合、判定をＯＦＦとする。例えば、高速ズームなどでは、フレーム相関が著しく減少するため、規定符号量では画質が急激に低下するが、反面、視覚効果的に、高速ズームをしているシーンは、高画質を期待する必要ではない場合もある。そのため、判定のＯＮ、ＯＦＦは、撮影シーンによってどちらにでも設定可能とする。
【００４５】
次に、符号管理データを図５で説明する。
【００４６】
符号化部２１７は、判定回路２１６からの出力を受け、図５に示す管理データを生成する。
【００４７】
符号管理データをファイルとして記録保存する場合、画像符号データのストリームファイル名を“ＭＰＧｘｘｘｘ．ＭＯＤ”（ｘｘｘｘは、記録ディレクトリにおいてユニークな数値）とすると、符号管理データを“ＭＰＧｘｘｘｘ．ＡＤＤ”のように同一ディレクトリに記録する。双方のファイル名“ＭＰＧｘｘｘｘ”が同一であることにより、双方が関連ファイルであることが判断できる。
【００４８】
図５は、画像符号データのストリームファイル“ＭＰＧｘｘｘｘ．ＭＰＧ”の対応する符号管理データファイル“ＭＰＧｘｘｘｘ。ＡＤＤ”の例を説明している。
【００４９】
まず、存在する記録メディア（媒体）の種類と、そのシリアル番号が記載される（同一メディアならば“０”）。次に対応ファイル名（本例では“ＭＰＧｘｘｘｘ．ＭＯＤ”）。本ファイルが作成された日時。本ファイルのファイルサイズ。付加データのブロック数（あるフレームが連続的に付加データを持つ区間）。その後、付加データのブロック数分の付加データが連続する。次に、必要において、その他管理データが記載され、最後に、メモリ２０１からの画像データとメモリ２１１からの画像データとの差分データを符号化したデータが記録される。
【００５０】
付加データの内容は、付加データブロックのＩＤ、前記符号データの格納されるアドレスへのポインタを意味する符号データポインタ、前記該当する符号データのデータサイズである符号データサイズ、検出要因、この付加データブロックの画像符号データストリームにおける開始フレーム位置、終了フレーム位置、検出領域（領域内外の判定ビットも含む）が記載される。
【００５１】
検出要因の内容は、閾値下限、閾値上限、検出区間下限、ＺＯＯＭ動作中、動作検出値、ＡＦ動作中、ＡＦ検出値、防振動作中、防振検出値、本体動作モード、周辺装置命令、その他の命令などが、それぞれＯＮ、ＯＦＦの２ビットが割り当てられる。要因ビットがセットされ、かつ、閾値下限などの検出数値がある場合は、要因ビットの後にそれぞれの数値が記載される。その他としては、ＷＢ動作中などのカメラ諸特性情報、操作者情報、装置本体情報、装置周辺環境情報、本体装置のテスト、調整、デモモードなどが存在する。それぞれの要因ビットは複合されていても、要因ビットを複数セットすることで対応可能である。
【００５２】
符号管理データを画像符号データのストリームファイルにミックスする場合は、前記符号管理データをバイナリ生成して、画像符号データのストリームファイルにプライベートストリームとして挿入することによって実現できる。
【００５３】
次に、この様に記録された符号管理データを用いた再生動作について説明する。
【００５４】
記録媒体Ｍ１に記録されている符号化画像ファイル“ＭＰＧｘｘｘｘ．ＭＯＤ”を再生する場合、まず、この符号化画像ファイルに対応した付加データファイル（管理付加データファイル）“ＭＰＧｘｘｘｘ．ＡＤＤ”が存在するか検出する。そのため、ＣＰＵ１０３は、記録媒体Ｍ１とＭ２、それぞれに対してのディレクトリを検索する。
【００５５】
付加データファイルが存在しない場合、一般的な、復号化をして画像復号再生を行う。付加データファイルが存在する場合は、そのファイルを分析して、復号化の準備を行う。即ち、符号化画像ファイルと付加データファイルを同時に開き、それぞれのデータが記録再生ブロック１０３ｂを通して符号化ブロック１０３ａに入力される。
【００５６】
図６は符号化ブロック１０３ａの復号部の構成を示す図である。
【００５７】
記録媒体Ｍ１、Ｍ２から再生されたデータは分離回路６０１に入力され、分離回路６０１は入力されたデータから符号化画像、音声データを分離して出力バッファ６０２に出力すると共に、符号管理データを分離する。そして、分離回路６０１は、管理付加データファイルを解析した結果に基づき、符号化画像データの復号動作に同期した付加データを復号部６１１に送出する。
【００５８】
出力バッファ６０２に出力された画像データは、ＶＬＣ復号部６０３、逆量子化部６０４及びＩＤＣＴ部６０５により復号され、加算器６０６に供給される。加算器６０６のもう一端には動き補償部６０９より予測信号が供給される。加算器６０６はこれら二つの信号を加算し、メモリ６０７に出力する一方、メモリ６１０に対し、参照画像として出力する。動き補償部６０９は、符号化データに付加されていた動きベクトルに基づいてメモリ６１０に記憶された画像データを読み出し、予測符号信号として加算器６０６に出力する。この予測符号信号は、Ｂ、Ｐフレーム（あるいはマクロブロック）の時に出力される。
【００５９】
メモリ６０７からの出力信号は加算器６０８に出力される。
【００６０】
一方、分離回路６０１から出力された符号化差分データは、復号部６１１により復号され、加算器６０８に入力される。
【００６１】
加算器６０８は、復号部６１１より供給された差分データをメモリ６０７からの画像データに加算して出力する。
【００６２】
このように、復号部６１１からの差分データをメモリ６０７からの画像データに加算することにより、符号化の際の誤差を補償し、良好な再生画像を得ることが可能となる。
【００６３】
以上説明したように、本形態によれば、符号化の際に、入力画像データの状態や装置の状態が所定の条件に一致するとき、入力画像データと予測画像データとの差分データを別途記録し、再生時にこの差分データを再生画像データに加算することで、符号量を大幅に増加することなく、良好な再生画像を得ることが可能となる。
【００６４】
なお、本形態では、入力画像信号と予測信号との差分値を符号管理データとして記録した、差分値でなく、復号時の画質を補正するデータであれば、他のデータを用いることも可能である。
【００６５】
また、本形態においては、画像符号化方式はＭＰＥＧ符号化を例に説明したが、例えば算術符号化でないＭｏｔｉｏｎＪＰＥＧ、ＪＰＥＧ２０００など、いかなる不可逆符号化において同等の効果が得られる。
【００６６】
また、例えば、ＪＰＥＧ２０００やサブバンド符号化などの階層符号化を用いて動画像信号を符号化し、記録する場合、通常は低階層のデータのみを記録しておき、判定回路にて条件に一致したことが判定された場合に高階層のデータを符号管理データとして記録する構成にしてもよい。
【図面の簡単な説明】
【００６７】
【図１】本発明が適用された記録再生装置の構成を示すブロック図である。
【図２】符号化ブロックの構成を示す図である。
【図３】判定回路の動作を示す図である。
【図４】判定条件を説明するための図である。
【図５】符号管理データの様子を示す図である。
【図６】符号化ブロックの構成を示す図である。
【図１】
2005101835.tif 000003
【図２】
2005101835.tif 000004
【図３】
2005101835.tif 000005
【図４】
2005101835.tif 000006
【図５】
2005101835.tif 000007
【図６】
2005101835.tif 000008